(57)【特許請求の範囲】
【請求項１】
玄関先に設置され、呼出釦と通話回路とを具備するドアホンと、上記呼出釦が押されたことを検出する呼出検出回路と、上記ドアホンの通話回路と接続され通話するための通話回路とを具備する住宅情報盤とからなるインターホンシステムにおいて、
上記玄関の施錠または解錠の鍵の状態を検出し、上記鍵の状態を出力する鍵状態検出手段と；
上記住宅情報盤に設けられ、住戸内のガスの元栓または所定の電気機器の状態を検出する機器状態検出手段と；
上記住宅情報盤に設けられ、上記鍵状態検出手段が検出した状態を上記ドアホンに出力する状態出力手段であって、上記鍵状態検出手段が上記玄関の施錠を検出すると、上記機器状態検出手段が検出した状態を上記ドアホンに出力する状態出力手段と；
を有することを特徴とするインターホンシステム。
【請求項２】
請求項１において、
上記状態出力手段は、上記住宅情報盤に設けられ、上記鍵状態、上記住戸内のガスの元栓の状態、所定の電気機器の状態のうちの少なくとも1つの状態を示す音声メッセージを記憶している音声出力手段であって、上記音声メッセージを上記ドアホンから出力させる手段であることを特徴とするインターホンシステム。
【請求項３】
請求項２において、
上記状態出力手段は、上記鍵状態検出手段が上記玄関の鍵が施錠されたことを検出すると、通話用スイッチを閉じ、上記ドアホンの通話回路と上記住宅情報盤の通話回路とを接続させる手段であることを特徴とするインターホンシステム。
【請求項４】
請求項１乃至３のいずれか１項において、
上記状態出力手段は、表示灯線を介して、ドアホンに設けられている表示灯と接続され、上記住宅情報盤に設けられている表示回路を具備し、上記鍵状態検出手段が上記玄関の施錠を検出した場合、上記機器状態検出手段が検出した機器の状態がオフ状態または閉止状態であった場合、それぞれの上記表示灯を点灯させる手段であることを特徴とするインターホンシステム。
【発明の詳細な説明】
【技術分野】
【０００１】
本発明は、インターホンシステムに関する。
【背景技術】
【０００２】
集合住宅のインターホンシステムにおいて、各住戸に設置した住宅情報盤と、管理員室に設置した管理室親機と、集合玄関に設置した集合玄関機とによって構成され、それぞれの機器間でインターホン通話するシステムが知られている（たとえば、特許文献１参照）。
【０００３】
住宅情報盤には、玄関先に設置されているドアホンが接続され、これらの間でもインターホン通話することができる。
【特許文献１】特開２００３−３４６２５９号公報
【発明の開示】
【発明が解決しようとする課題】
【０００４】
上記のように、ドアホンと住宅情報盤とが設けられている集合住宅または戸建住宅において、住戸の住戸人は、外出する際、玄関先で施錠をしてから外出するが、このときに、心配性の人は、鍵の施錠状態が気になり、ドアノブをガチャガチャと回したり、ドアを引いて何度も施錠状態を確認する場合がある。
【０００５】
また、鍵を閉めた後に、住戸内のガスの元栓の状態や、エアコン等の電気機器の切り忘れがあるのかどうかが不安になり、施錠した鍵を開け、住戸内へ戻り、確認する場合がある。
【０００６】
そこで、本発明は、玄関先で施錠をすれば、ドアノブをガチャガチャと回さなくても、施錠状態を確認することができるインターホンシステムを提供することを目的とする。
【０００７】
また、本発明は、玄関先で施錠をした後に、住戸内のガスの元栓、電気機器の状態を、玄関のドアの外で知ることができ、住戸人に安心感をもたせることができるインターホンシステムを提供することを目的とする。
【課題を解決するための手段】
【０００８】
本発明は、玄関先に設置され、呼出釦と通話回路とを具備するドアホンと、上記呼出釦が押されたことを検出する呼出検出回路と、上記ドアホンの通話回路と接続され通話するための通話回路とを具備する住宅情報盤とからなるインターホンシステムにおいて、上記玄関の施錠または解錠の鍵の状態を検出し、上記鍵の状態を出力する鍵状態検出手段と、上記住宅情報盤に設けられ、住戸内のガスの元栓または所定の電気機器の状態を検出する機器状態検出手段と、上記住宅情報盤に設けられ、上記鍵状態検出手段が検出した状態を上記ドアホンに出力する状態出力手段であって、上記鍵状態検出手段が上記玄関の施錠を検出すると、上記機器状態検出手段が検出した状態を上記ドアホンに出力する状態出力手段とを有することを特徴とするインターホンシステムである。
【発明の効果】
【００１１】
本発明によれば、玄関先で施錠した後に、住戸内のガスの元栓、電気機器の状態を、玄関のドアの外で知ることができ、住戸人に安心感を持たせることができるという効果を奏する。
【発明を実施するための最良の形態】
【００１２】
発明を実施するための最良の形態は、以下の実施例である。
【実施例１】
【００１３】
図１は、本発明の実施例１であるインターホンシステム１００を示すブロック図である。
【００１４】
インターホンシステム１００は、ドアホン１０と、住宅情報盤ＪＢと、玄関鍵Ｋ１と、鍵状態検出手段４１とを有する。ドアホン１０と住宅情報盤ＪＢとは、電源兼通話線Ｌ及び表示灯線Ｌ１によって接続されている。
【００１５】
鍵状態検出手段４１は、玄関鍵Ｋ１の状態を検出し、その状態を出力する。すなわち、鍵状態検出手段４１は、玄関鍵Ｋ１の状態、つまり、施錠状態であるのか、解錠状態であるのかを検出し、玄関鍵Ｋ１が施錠されたことを検出すると、住宅情報盤ＪＢに、施錠信号を出力する。具体的には、鍵状態検出手段４１は、図示しない近接センサであり、玄関鍵Ｋ１の閂が突出すると、これを近接センサが検出し、施錠状態であると判断し、玄関鍵Ｋ１の閂が退避すると、近接センサが閂を検出できないので、解錠状態であると判断する。通常であれば、住戸人が外出時に、鍵をかけたときに、施錠信号が出力される。
【００１６】
ドアホン１０は、呼出釦１１と、呼出回路１２と、通話回路１３と、電源回路１４と、表示灯１５と、マイクＭＣ１と、スピーカＳＰ１とを有する。
【００１７】
呼出回路１２は、ドアホン１０の呼出釦１１が押されたことを検出し、この検出によって、電源兼通話線Ｌの電圧をたとえば５Ｖから２Ｖに低下させることによって、呼出信号を出力する。通話回路１３は、住宅情報盤ＪＢの通話回路２５と通話する回路である。
【００１８】
表示灯１５は、玄関鍵Ｋ１が施錠されているとき、ガスの元栓５１が締められているとき、エアコン５２等の電気機器の電源がオフされているときに、点灯するものであり、玄関鍵Ｋ１、ガスの元栓５１、電気機器毎に設けられている。
【００１９】
住宅情報盤ＪＢは、制御手段２１と、呼出検出回路２２と、呼出音発生回路２３と、操作手段２４と、通話回路２５と、音声出力回路２６と、マイクＭＣ２と、スピーカＳＰ２と、通話用スイッチＳＷ１と、電源供給回路ＰＳ１と、表示回路３１と、機器状態検出手段３２とを有する。
【００２０】
制御手段２１は、住宅情報盤ＪＢの全体を制御する。呼出検出回路２２は、電源兼通話線Ｌの電圧がたとえば５Ｖから２Ｖに低下することによって呼出信号を検出する。呼出音発生回路２３は、ドアホン１０の呼出ボタン１１が押されると、「ピンポン」等の呼出音を発生する回路である。操作手段２４は、図示しない通話釦等のキーを具備する。
【００２１】
通話回路２５は、ドアホン１０の通話回路１３と通話する回路である。音声出力回路２６は、「ガスの元栓は締まっています」、「鍵がかかりました」、「エアコンは停止しています」等の音声メッセージを記憶し、玄関鍵Ｋ１がかけられ、制御手段２１が施錠信号を受けたときに、通話回路１３を介して、この音声メッセージをドアホン１０のスピーカＳＰ１から出力させる。
【００２２】
通話用スイッチＳＷ１は、ドアホン１０の呼出釦１１が押され、その後、操作手段２４の通話釦が押されると、制御手段２１によってオンされ、ドアホン１０の通話回路１３と住宅情報盤ＪＢの通話回路２６とを接続する。表示回路３１は、機器状態検出手段３２が検出した機器の状態がオフ状態または閉止状態であれば、上記表示灯１５を点灯させる。
【００２３】
機器状態検出手段３２は、ガスの元栓５１やエアコン５２等の電気機器の状態を検出し、ガスの元栓５１が閉まっているときに、閉止信号を制御手段２１に出力し、また、エアコン５２の動作が停止しているときに、停止信号を制御手段２１に出力する。つまり、機器状態検出手段３２は、住宅情報盤ＪＢに設けられ、住戸内のガスの元栓５１または所定の電気機器の状態を検出する。具体的には、機器状態検出手段３２は、当該機器に電流が流れていることを検出する手段である。
【００２４】
ガスの元栓５１のように、電気機器でない器具には、元栓に検出用のセンサ手段（図示せず）を設ける必要がある。
【００２５】
つまり、インターホンシステムは、玄関先に設置され、呼出釦１１と通話回路１３とを具備するドアホン１０と、呼出釦１１が押されたことを検出する呼出検出回路２２と、ドアホン１０の通話回路１３と接続され通話するための通話回路２５とを具備する住宅情報盤ＪＢとからなるインターホンシステムである。
【００２６】
制御手段２１と音声出力回路２６と、通話回路２５と、通話用スイッチＳＷ１とは、住宅情報盤ＪＢに設けられ、鍵状態検出手段４１が検出した状態をドアホン１０に出力する状態出力手段の例である。この状態出力手段は、玄関鍵Ｋ１が施錠されていることを、鍵状態検出手段４１が検出すると、上記鍵状態検出手段が検出した状態を、ドアホン１０に出力する手段である。
【００２７】
制御手段２１と、音声出力回路２６と、通話回路２５と、通話用スイッチＳＷ１とは、機器状態検出手段３２が検出した状態をドアホン１０に出力する状態出力手段の例である。この状態出力手段は、鍵の状態を示す音声メッセージ（「鍵がかかりました」等のメッセージ）を記憶している音声出力手段であって、住宅情報盤ＪＢに設けられている音声出力回路２６を具備し、音声メッセージをドアホン１０から出力させる手段である。
【００２８】
状態出力手段は、住戸内のガスの元栓５１または所定の電気機器の状態を示す音声メッセージ（「ガスの元栓は締まっています」等の音声メッセージ）を記憶している音声出力手段であって、住宅情報盤ＪＢに設けられている音声出力回路２６を具備し、音声メッセージをドアホン１０から出力させる手段である。また、この状態出力手段は、表示灯線Ｌ１を介して、ドアホン１０に設けられている表示灯１５と接続され、住宅情報盤ＪＢに設けられている表示回路３１を具備し、機器状態検出手段３２が検出した機器の状態がオフ状態または閉止状態であれば、表示灯１５を点灯させる手段である。
【００２９】
音声出力回路２６は、住宅情報盤ＪＢの通話回路２５に接続されている手段である。また、上記状態出力手段は、玄関鍵Ｋ１が施錠されたことを鍵状態検出手段４１が検出すると、通話用スイッチＳＷ１を閉じ、ドアホン１０の通話回路１３と住宅情報盤ＪＢの通話回路２５とを接続させる手段である。
【００３０】
次に、上記実施例の動作について説明する。
【００３１】
住戸人が外出する際、玄関先で、玄関鍵Ｋ１をかける。これによって、鍵状態検出手段４１が施錠されたことを検出し、施錠信号を住宅情報盤ＪＢの制御手段２１に出力する。制御手段２１は、通話用スイッチＳＷ１を閉じ、ドアホン１０の通話回路１３と住宅情報盤ＪＢの通話回路２５とを互いに接続する。そして、音声出力回路２６を動作させ「鍵がかかりました」の音声メッセージを、音声出力回路２６が出力し、ドアホン１０のスピーカＳＰ１からその音声メッセージが出力されるので、住戸人は、ドアノブをガチャガチャと回して施錠状態を確かめる動作をせずに、鍵がかかったことを認識することができる。
【００３２】
また、ガスの元栓５１が閉じられていれば、機器状態検出手段３２が、ガスの元栓５１の閉止信号を出力しているので、制御手段２１は、音声出力回路２６を動作させ「ガスの元栓５１は締まっています」の音声メッセージも出力する。
【００３３】
これと同様に、エアコン５２が停止されていれば、機器状態検出手段３２が、エアコン５２の停止信号を出力しているので、制御手段２１は、音声出力回路２６を動作させ「エアコン５２は停止しています」の音声メッセージも出力する。
【００３４】
音声メッセージを出力した後は、通話用スイッチＳＷ１を元の状態に戻すように制御する。ここで、音声メッセージの出力は、エアコン、ガスの元栓、鍵等いくつかあるが、いずれか１つだけを出力させるようにしてもよい。
【００３５】
これによって、住戸人は、住戸内の電気機器、器具がオフ状態にあり、動いていないことを確実に認識することができるので、「ガスがつけっぱなしじゃないか」等の不安感を持たずに、安心して外出することができる。
【００３６】
なお、上記実施例において、表示灯１５を使用し、全ての機器が閉止状態にあれば、ドアホン１０側にある表示灯１５を緑色に点灯させ、問題がないことを住戸人に知らせるようにしてもよい。
【００３７】
また、上記実施例は、玄関鍵Ｋ１が施錠状態である場合、ガスの元栓５１が閉じている場合、エアコン５２がオフしている場合に、通話回路２５、通話用スイッチＳＷ１、通話回路１３を経由して、「鍵がかかりました」、「ガスの元栓５１は締まっています」、「エアコン５２は停止しています」等の音声が、スピーカＳＰ１から流れる。これとは別の経路で音声を流すようにしてもよい。つまり、音声出力回路２６の音声信号が、音声出力回路２６とスピーカＳＰ１との間に新たに設けた信号線を経由して、「鍵がかかりました」、「ガスの元栓５１は締まっています」、「エアコン５２は停止しています」等の音声を、スピーカＳＰ１から流すようにしてもよい。
【図面の簡単な説明】
【００３８】
【図１】本発明の実施例１であるインターホンシステム１００を示すブロック図である。
【符号の説明】
【００３９】
１００…インターホンシステム、１０…ドアホン、ＳＰ１…スピーカ、１５…表示灯、
ＪＢ…住宅情報盤、２１…制御手段、２６…音声出力回路、
３１…表示回路、３２…機器状態検出手段、Ｋ１…玄関鍵、
４１…鍵状態検出手段、５１…ガスの元栓、５２…エアコン。
【図１】
0005202065.tif 000002